【事件の表示】
　特許第６０７９２３９号発明「画像表示装置」の特許異議申立事件について、次のとおり決定する。
【結　論】
　特許第６０７９２３９号の請求項１ないし４に係る特許を維持する。
【理　由】
第１　手続の経緯
　特許第６０７９２３９号の請求項１ないし４に係る特許についての出願は、平成２５年１月４日に特許出願され、平成２９年１月２７日にその特許権の設定登録がなされ、その後、その特許に対し、特許異議申立人　特許業務法人にじいろ特許事務所により特許異議の申立てがなされたものである。
２　本件発明
　特許第６０７９２３９号の請求項１ないし４に係る発明（以下、「本件特許発明１」ないし「本件特許発明４」という。」）は、それぞれ、その特許請求の範囲の請求項１〜４に記載された事項により特定される、次のとおりのものである。
「【請求項１】
　光束を出力するレーザ光源部と、
　主走査方向及び副走査方向に往復駆動されることで、前記光束を反射させる走査ミラー部と、
　画像データに基づいて前記レーザ光源部を駆動させる光源駆動部と、
　前記画像データを構成する画素の輝度値を調整するビットシフト処理部と、
　前記ビットシフト処理部により減光処理された前記画像データに対して、前記画像データを構成する画素の輝度値を所定の規則で０として表示させる制御を行う減光処理部と、
を備えた画像表示装置。
【請求項２】
　前記減光処理部は、
　主走査方向の走査線であって前記走査ミラー部の往路または復路のいずれか一方の走査線の輝度値を０として表示させる制御を行う、
　請求項１に記載の画像表示装置。
【請求項３】
　前記減光処理部は、
　主走査方向の走査線上において、前記画素の輝度値を一つ置きに０として表示させる制御を行う、
　請求項１に記載の画像表示装置。
【請求項４】
　前記減光処理部は、
　主走査方向の往路の走査線と主走査方向の復路の走査線とで、輝度値が０となる画素が縦方向に並ばないように表示させる制御を行う、
　請求項３に記載の画像表示装置。」
３　申立ての理由の概要
　特許異議申立人　特許業務法人にじいろ特許事務所は、証拠として、特開２００３−４３９７５号公報（以下、「刊行物１」という。）、特開２００５−２０８２５９号公報（以下、「刊行物２」という。）、及び、特開２００５−１０６９３０号公報（以下、「刊行物３」という。）を提出し、
（１）本件特許発明１は、刊行物１に記載された発明、及び周知技術（刊行物３）に基づいて、当業者が容易に発明をすることができたものである。
（２）本件特許発明２は、刊行物１に記載された発明、刊行物２の記載及び周知技術（刊行物３）に基づいて、当業者が容易に発明をすることができたものである。
（３）本件特許発明３は、刊行物１に記載された発明、及び周知技術（刊行物３）に基づいて、当業者が容易に発明をすることができたものである。
（４）本件特許発明４は、刊行物１に記載された発明、及び周知技術（刊行物３）に基づいて、当業者が容易に発明をすることができたものである。
　から、本件特許発明１−４に係る特許は特許法第２９条第２項の規定に違反してされたものであるので、本件特許発明１−４に係る特許を取り消すべきものである旨主張している。
４　刊行物の記載
（１）刊行物１には、図面とともに、次の事項が記載されている（下線は、当審で付与したものである。）。
ア　「【０００１】
【発明の属する技術分野】本発明は、
入力画素データに応じて変調された光ビームを走査させることによりスクリーン上に画像を表示する光走査型画像表示装置
イ　「【００１６】請求項４記載の発明は、請求項１又は２記載の光走査型画像表示装置の画像表示方法において、少なくとも１つ以上置きとなるように分離された前記主走査方向の画素を表示させる順番を副走査方向の各ライン毎に異ならせるようにした。」
ウ　「【００３６】
【発明の実施の形態】本発明の第一の実施の形態を図１ないし図４に基づいて説明する。本実施の形態の
光走査型画像表示装置
光走査型プロジェクタに適用可能である
【００３７】その概略構成及び作用について説明する。まず、
各々Ｒ，Ｇ，Ｂで示す３原色のレーザ光を発生するレーザ光源１ｒ，１ｇ，１ｂが設けら
レーザ光源１ｒ，１ｇ，１ｂからの各レーザ光は光変調器２ｒ，２ｇ，２ｂにより各色に対応する入力画素信号ＡＲｏ，ＡＧｏ，ＡＢｏに基づいて変調され
変調されたレーザ光は
合成光学素子４により合成され、１本の走査レーザ光（光ビーム）が生成され
【００３８】
合成されたレーザ光はポリゴンミラー５に入射され
ポリゴンミラー５は
入射するレーザ光に対して水平方向に回転する多面鏡であり、入射するレーザ光をその回転に伴ない水平方向に主走査させ
ポリゴンミラー５によって反射（偏向走査）されたレーザ光はガルバノミラー７に入射され
ガルバノミラー７は、
揺動回動されて入射するレーザ光に対して直交する方向に往復運動するミラーであり、これにより入射するレーザ光を垂直方向に副走査させる。ガルバノミラー７によって反射されたレーザ光はスクリーン９に導かれ、結果的にスクリーン９上に画像が２次元的に表示される。
【００３９】このような基本的な構成において、本実施の形態では、光ビームを扁平形状にして隣接画素間での走査光のＯＦＦ期間を短くしても応答速度の高速化を必要としない方法を提供するものであり、まず、本実施の形態による画像表示方法の原理を図２を参照して説明する。
【００４０】図２は、光ビームの走査に関連してのＯＮ／ＯＦＦの様子を示すタイミングチャートであり、（ａ）は前述した公報例による場合の光ビームのＯＮ／ＯＦＦの様子を示し、（ｂ）は本実施の形態による方法として例えば
主走査方向の一連の画素を、１つのサブフレーム内においては１画素置きとなるように、１フレームを２つのサブフレームに分離（時分割）して順次表示させる場合
各サブフレームでは１画素毎の間引き表示となる。
【００４１】図２（ａ）において、例えば光利用効率が９０％になるように１画素表示期間Ｔｐ中におけるＯＦＦ期間をＴｐ／１０とすると、この短いパルス幅Ｔｐ／１０に応答しなければならなくなるためにレーザ光源としては１０倍以上の高速な応答速度が必要となる。一方、図２（ｂ）に示すような本実施の形態の方法においては、フレーム周波数を一致させるために1画素表示期間を１／２としたとしても、一方のサブフレーム表示中には表示画素が１画素置きとされ、１フレームにおける隣接画素用のＴｐ／１０に加えて他方のサブフレーム分の１０Ｔｐ／１０なるＯＦＦ期間を含むため、レーザ光源１ｒ，１ｇ，１ｂの応答速度としては短い方のＯＮ期間、即ち、９Ｔｐ／１０を考慮すればよく、応答速度は１０／９≒１．１倍にしかならない。
【００４２】従って、基本的に、
主走査方向の一連の画素を、各サブフレーム内では１画素置きとなるように１フレームを
２つのサブフレームに時分割して表示させることにより、隣接画素が干渉し合うのを防止するために隣接画素間に走査ビームのＯＦＦ期間を設け、
レーザ光源１ｒ，１ｇ，１ｂの応答速度を特に高速化する必要がなく
光走査型画像表示装置
【００４３】次に、このような原理に基づき画像表示を行なわせるための構成例について、図３及び図４に示すブロック図を参照して説明する。図３は図１中に示す表示画像制御回路１０中の入力画素信号ＡＲｏを生成出力するための回路構成例を示す。ここでは、
サブフレーム数を３個とした場合
【００４４】まず、赤色Ｒ用のアナログ入力画素信号Ｒｉを適当なレベルに増幅するアンプ１１が設けられている。また、入力画素信号に対応する垂直及び水平の入力同期信号ＶＤ，ＨＤに基づきアナログ入力画素信号Ｒｉの同期クロックＲＣＫを再生出力する同期信号抽出回路１２が設けられている。アンプ１１による画素信号Ｒｉの増幅出力ＡＲｉはＡ／Ｄ変換器１３に入力され、同期クロックＲＣＫに同期してデジタル画素信号ＤＲｉに変換されて、画像処理部１４に出力される。
【００４５】ここに、
画像処理部１４はサブフレーム数＝３に対応させて３つのサブフレームメモリ１５ａ，１５ｂ，１５ｃを有し、
デジタル画素信号ＤＲｉを
２画素置きにこれらのサブフレームメモリ１５ａ，１５ｂ，１５ｃに分離する画素分離手段としての画素分離回路１７と、表示制御回路１８による制御の下にサブフレームメモリ１５ａ，１５ｂ，１５ｃに格納されたサブフレームの各画素を順次選択して
出力させる表示制御手段としてのサブフレーム選択回路２０とが設けられ
エ　「【００５２】サブフレーム選択回路２０は、サブフレームメモリ１５ａ，１５ｂ，１５ｃからの出力中から一つを表示制御信号Ｓ２に基づき選択し表示画像信号ＤＲｏとして出力する。この
サブフレーム選択回路２０から出力される表示画像信号ＤＲｏはＤ／Ａ変換器１９に入力され、アナログ画素信号ＡＲｏに変換されて出力される。
【００５３】
このアナログ画素信号ＡＲｏは、Ｇ，Ｂの同様の出力ＡＧｏ，ＡＢｏとともに
光変調器２ｒ，２ｇ，２ｂに入力され
各レーザ光源１ｒ，１ｇ，１ｂからのレーザ光を変調する。
、レーザ光源１ｒ，１ｇ，１ｂとして
半導体レーザのように直接変調可能なものを使用した場合であれば、これらのアナログ画素信号ＡＲｏ，ＡＧｏ，ＡＢｏをレーザ光源１ｒ，１ｇ，１ｂに直接入力させて変調するようにしてもよい。
オ　「【００５５】
前述の実施の形態においては、個々の画素に着目してみると表示されていないサブフレーム周期の期間が生じるために、輝度が低下するという懸念がある。
カ　「【００７４】
【発明の効果】
請求項１記載の発明の光走査型画像表示装置の画像表示方法によれば、光ビームを変調させる主走査方向の一連の画素を、各サブフレーム内では少なくとも１つ以上の画素置きとなるように１フレームを複数のサブフレームに時分割して表示させるようにした
　以上より、次の技術事項を読み取ることができる。
（ア） 段落【０００１】には、「入力画素データに応じて変調された光ビームを走査させることによりスクリーン上に画像を表示する光走査型画像表示装置」が記載されている。
（イ）段落【００３６】〜【００３７】、及び段落【００５３】より、「光走査型画像表示装置は、光走査型プロジェクタに適用可能であり、光走査型プロジェクタには、各々Ｒ，Ｇ，Ｂで示す３原色のレーザ光を発生するレーザ光源１ｒ，１ｇ，１ｂが設けられ、レーザ光源１ｒ，１ｇ，１ｂからの各レーザ光は光変調器２ｒ，２ｇ，２ｂにより各色に対応する入力画素信号ＡＲｏ，ＡＧｏ，ＡＢｏに基づいて変調されるが、レーザ光源１ｒ，１ｇ，１ｂとして半導体レーザを使用した場合には、入力画素信号ＡＲｏ，ＡＧｏ，ＡＢｏに基づいて直接変調可能であり、変調されたレーザ光は合成光学素子４により合成され、１本の走査レーザ光（光ビーム）が生成される。」との技術事項を読み取ることができる。
（ウ）段落【００３８】より「合成されたレーザ光はポリゴンミラー５に入射され、ポリゴンミラー５は、入射するレーザ光に対して水平方向に回転する多面鏡であり、入射するレーザ光をその回転に伴ない水平方向に主走査させ、ポリゴンミラー５によって反射（偏向走査）されたレーザ光はガルバノミラー７に入射され、ガルバノミラー７は、揺動回動されて入射するレーザ光に対して直交する方向に往復運動するミラーであり、これにより入射するレーザ光を垂直方向に副走査させ、ガルバノミラー７によって反射されたレーザ光はスクリーン９に導かれ、結果的にスクリーン９上に画像が２次元的に表示される。」との技術事項を読み取ることができる。
（エ）段落【００４０】〜【００４２】には、「主走査方向の一連の画素を、各サブフレーム内では１画素置きとなるように１フレームを２つのサブフレームに時分割して表示させること」が記載され、段落【００４３】〜【００４５】には、「サブフレーム数を３個とした場合」が記載されているから、両記載を総合すると、上記各段落より、「主走査方向の一連の画素を、１つのサブフレーム内においては、少なくとも１つ以上の画素置きとなるように、１フレームを少なくとも２つ以上のサブフレームに分離（時分割）して順次表示させ、各サブフレームでは、少なくとも１つ以上の画素毎の間引き表示となることにより、隣接画素間に走査ビームのＯＦＦ期間を設け、レーザ光源１ｒ，１ｇ，１ｂの応答速度を特に高速化する必要がない、光走査型画像表示装置。」との技術事項を読み取ることができる。
　よって、上記（ア）−（エ）より、刊行物１には、次の発明（以下、「引用発明１」という。）が記載されているものと認められる。
「入力画素データに応じて変調された光ビームを走査させることによりスクリーン上に画像を表示する光走査型画像表示装置であって、
　光走査型画像表示装置は、光走査型プロジェクタに適用可能であり、光走査型プロジェクタには、各々Ｒ，Ｇ，Ｂで示す３原色のレーザ光を発生するレーザ光源１ｒ，１ｇ，１ｂが設けられ、レーザ光源１ｒ，１ｇ，１ｂからの各レーザ光は光変調器２ｒ，２ｇ，２ｂにより各色に対応する入力画素信号ＡＲｏ，ＡＧｏ，ＡＢｏに基づいて変調されるが、、レーザ光源１ｒ，１ｇ，１ｂとして半導体レーザを使用した場合には、入力画素信号ＡＲｏ，ＡＧｏ，ＡＢｏに基づいて直接変調可能であり、変調されたレーザ光は合成光学素子４により合成され、１本の走査レーザ光（光ビーム）が生成され、
　合成されたレーザ光はポリゴンミラー５に入射され、ポリゴンミラー５は、入射するレーザ光に対して水平方向に回転する多面鏡であり、入射するレーザ光をその回転に伴ない水平方向に主走査させ、ポリゴンミラー５によって反射（偏向走査）されたレーザ光はガルバノミラー７に入射され、ガルバノミラー７は、揺動回動されて入射するレーザ光に対して直交する方向に往復運動するミラーであり、これにより入射するレーザ光を垂直方向に副走査させ、ガルバノミラー７によって反射されたレーザ光はスクリーン９に導かれ、結果的にスクリーン９上に画像が２次元的に表示され、
　主走査方向の一連の画素を、１つのサブフレーム内においては、少なくとも１つ以上の画素置きとなるように、１フレームを少なくとも２つ以上のサブフレームに分離（時分割）して順次表示させ、各サブフレームでは、少なくとも１つ以上の画素毎の間引き表示となることにより、隣接画素間に走査ビームのＯＦＦ期間を設け、レーザ光源１ｒ，１ｇ，１ｂの応答速度を特に高速化する必要がない、
　光走査型画像表示装置。」
（２）刊行物２には、次の事項が記載されている（下線は、当審で付与したものである。）。
「【０００１】
  本発明は、
有機ＥＬ(Electroluminescence )ディスプレイ装置の駆動装置および駆動方法
「【０００６】
  また、有機ＥＬディスプレイ装置において、画素の輝度を低下させる方法が種々知られ
ている。例えば、パルス幅変調方式（ＰＷＭ：Pulse Width Modulation）が知られている。ＰＷＭでは、選択期間中に有機薄膜（信号電極と選択行走査電極との間の有機薄膜）に定電流を流す時間を短縮することによって画素の輝度を低下させる。また、ＰＷＭによって中間調表示を行うこともできる。すなわち、選択期間における画素の発光時間の割合（有機薄膜に定電流を流す時間の割合）を変化させることで、階調を変化させることができる。
【０００７】
  また、パルス高さ変調方式（ＰＨＭ：Pulse Height Modulation ）では、有機薄膜に流す電流の電流値（電流の大きさ）を低下させることによって画素の輝度を低下させる。また、
フレームレートコントロール（ＦＲＣ：Frame Rate Control）
、あるフレームで画素を発光させ、他のフレームでその画素を発光させないようにして、その画素の輝度を低下させる
「【００１１】
  
車載用ナビゲーションシステムの表示装置等では、周囲が明るいときに高輝度で画像を表示し、周囲が暗いときには低輝度で画像を表示するように切り替える。このような切り替えにおいて、高輝度での表示を通常表示と記すことにする。また、低輝度での表示をディミング表示と記すことにする。
「【００１４】
  ディミング表示に切り替えたときの輝度を、より低い輝度にすることが求められている。しかし、以上のように、ＰＨＭによる場合であっても、ＰＷＭによる場合であっても、ディミング表示に切り替えたときの輝度をある程度よりも低くすることは困難であった。また、その結果、ディミング比をある程度より低くすることも困難であった。ディミング比とは、通常表示時の輝度に対するディミング表示時の輝度の割合である。
【００１５】
  また、ディミング表示時において、画素を確実に発光させることが好ましい。
【００１６】
  そこで、本発明は、
通常表示からディミング表示に切り替えた時の輝度をより低くすることを目的とする。
「【００７２】
［実施の形態２］第１の実施の形態では、
ディミング表示時に、発光させるべき画素に流す定電流を低下させ、かつ、その定電流を流す時間を短縮すること
さらにＦＲＣを組み合わせることにより、ディミング表示時における輝度をより低くする。
【００７３】
  本発明の第２の実施の形態の構成は、図１に例示する第１の実施の形態の構成と同様である。また、通常表示時における動作も、第１の実施の形態における動作と同様である。
【００７４】
  また、ディミング表示時において、信号電極ドライバ４が、コントローラ２の制御および取得した表示データに基づいて行う動作も、第１の実施の形態と同様である。すなわち、信号電極ドライバ４は、ディミング表示時に通常表示時よりも低い定電流（第２の定電流）を画素に流すようにし、また、画素を最大輝度で表示するために選択期間内で電流を流す時間を、通常表示時よりも短い時間Ｔ２に短縮する。
【００７５】
  ただし、ディミング表示時に、メモリ２ａは、一つの画像を表すために複数フレームに渡って表示される複数フレーム分の表示データを記憶する。この表示データは、外部ＭＰＵ６がメモリ２ａに記憶させればよい。そして、コントローラ２は、その複数フレーム分の表示データを、フレーム毎に表示させる。最後のフレームに対応する表示データに基づいて表示を行ったならば、次のフレームからは再び最初のフレームに対応する表示データから順に表示していけばよい。
【００７６】
  また
、一つの画像を表すために複数フレームに渡って表示される複数フレーム分の表示データにおいて、個々の画素に対応するデータは、それぞれ、複数フレームのうちの少なくとも一部のフレームでオフ表示とされるように定められている。
【００７７】
  図９は、
一つの画像を表すために複数フレームに渡って表示される複数フレーム分の表示データ
【００７８】
  
図９（ａ）は、奇数列の各画素をいずれかの階調で表示し、偶数列の画素を第０階調にすることを示している表示データである。また、図９（ｂ）は、偶数列の各画素をいずれかの階調で表示し、奇数列の画素を第０階調にすることを示している表示データである。
個々の画素に対応するデータは、それぞれ、複数のフレーム（本例では２つのフレーム）のうちの少なくとも一部のフレームでオフ表示とされている。
図９（ａ）に示す表示データに基づく表示と、図９（ｂ）に示す表示データに基づく表示とを、フレーム毎に順に実行させる。すると、オフ表示以外の第１階調から第３階調のいずれかが指定されている画素の輝度は、指定された輝度の１／２の輝度で表示される。
「【００８２】
  図９では、各フレーム毎に表示する表示データにおいて、第０階調とする画素を列毎にまとめる場合を示した。個々の画素に対応するデータが、それぞれ、複数フレームのうちの少なくとも一部のフレームでオフ表示とされるように定められていれば、第０階調とする画素が列毎にまとめられていなくてもよい。例えば、図１１に示す
二つの表示データ
一方の表示データでは、偶数行奇数列の画素および奇数行偶数列の画素を第０階調とし、もう一方の表示データでは、奇数行奇数列の画素および偶数行偶数列の画素を第０階調とするようにしてもよい。
一方の表示データでは偶数行の画素を第０階調とし、もう一方の表示データでは奇数行の画素を第０階調とするようにしてもよい。
二つの表示データをフレーム毎に交互に用いて表示した場合であっても、表示データで定められた階調の１／２の階調の表示として観察者に認識される。
【００８３】
  なお、図９、図１１および図１２では、２種類の表示データを順に表示する場合の表示データの組を例示した。複数フレームに渡って表示される複数フレーム分の表示データの組は、３フレーム分以上の表示データの組であってもよい。」
　よって、刊行物２には、「第２の実施の形態」として、次の技術（以下、「刊行物２に記載された技術」という。）が記載されているものと認められる（括弧内の段落番号は、認定の根拠とした段落番号である。）。
「有機ＥＬ(Electroluminescence )ディスプレイ装置の駆動装置および駆動方法（【０００１】）であって、高輝度での表示を通常表示と記し、低輝度での表示をディミング表示と記す（【００１１】）と、通常表示からディミング表示に切り替えた時の輝度をより低くする（【００１６】）ため、ディミング表示時に、発光させるべき画素に流す定電流を低下させ、かつ、その定電流を流す時間を短縮し、さらにＦＲＣ（あるフレームで画素を発光させ、他のフレームでその画素を発光させないようにして、その画素の輝度を低下させる（【０００７】））を組み合わせ（【００７２】）、
　一つの画像を表すために複数フレームに渡って表示される複数フレーム分の表示データにおいて、個々の画素に対応するデータは、それぞれ、複数フレームのうちの少なくとも一部のフレームでオフ表示とされるように定め（【００７６】）、
　一つの画像を表すために複数フレームに渡って表示される複数フレーム分の表示データ（【００７７】）は、奇数列の各画素をいずれかの階調で表示し、偶数列の画素を第０階調にすることを示している表示データ（以下、「図９（ａ）に示す表示データ」という。）（【００７８】）、及び、偶数列の各画素をいずれかの階調で表示し、奇数列の画素を第０階調にすることを示している表示データ（以下、「図９（ｂ）に示す表示データ」という。）であり（【００７８】）、
　個々の画素に対応するデータは、それぞれ、複数のフレーム（本例では２つのフレーム）のうちの少なくとも一部のフレームでオフ表示とされ、図９（ａ）に示す表示データに基づく表示と、図９（ｂ）に示す表示データに基づく表示とを、フレーム毎に順に実行させ、オフ表示以外の第１階調から第３階調のいずれかが指定されている画素の輝度は、指定された輝度の１／２の輝度で表示され（【００７８】）、
　二つの表示データは、一方の表示データでは、偶数行奇数列の画素および奇数行偶数列の画素を第０階調とし、もう一方の表示データでは、奇数行奇数列の画素および偶数行偶数列の画素を第０階調とするようにしてもよく、また、一方の表示データでは偶数行の画素を第０階調とし、もう一方の表示データでは奇数行の画素を第０階調とするようにしてもよく、表示データで定められた階調の１／２の階調の表示として観察者に認識される【００８２】）、
有機ＥＬ(Electroluminescence )ディスプレイ装置の駆動装置および駆動方法。」
（３）刊行物３（特開２００５−１０６９３０号公報）には、次の事項が記載されている（下線は、当審で付与したものである。）。
「【０００１】
  本発明は、入力される画像データを表示手段に応じた信号に変換して出力する表示信号変換装置に関する。」
「【０００２】
  工業生産の自動化が進み、個々の製造装置がコントローラによって制御され、さらに複数のコントローラがコンピュータによって集中管理されるような複雑なシステムが多く使用されるようになってきている。・・・（中略）・・・従って、収集した情報、緊急情報、作業に必要な情報などを、誤認されることなく分かりやすく提示するために、表示装置もカラー表示、多諧調表示などの高機能化が要求されている。例えば、
緊急時や、重要な情報を提示するときに、提示情報を強調するために、画面の輝度を２段階に周期的に変化させる（以下、ブリンクと記す）表示が行われている
「【０００７】
  即ち、本発明に係る表示信号変換装置装置（１）は、ブリンク制御信号及びマルチプレクサ制御信号を出力するＣＰＵ−ＩＦ部と、該ＣＰＵ−ＩＦ部からの出力データが入力されるブリンク処理部と、入力データを所定の映像信号に変換して出力するディスプレイＩＦ部とを備え、前記ブリンク処理部が、前記ブリンク制御信号から、垂直ブランキング期間中に信号レベルが反転するブリンククロックを生成するブリンククロック生成部と、前記ブリンククロックに応じて、入力される画像データを第１のブリンク画像データとして出力する白黒ブリンク信号生成部と、
入力される前記画像データを所定のビット数だけビットシフト
減光ブリンク信号生成部
  上記表示信号変換装置（１）によれば、ブリンク機能をハードウェアで実現することができ、ＣＰＵの負荷を軽くすることができ、比較的低性能の安価なＣＰＵを使用することが可能になる。」
「【００１５】
  
ブリンク表示機能が指定されている場合、ブリンク処理部１０が、入力される画像データの各画素データを、所定の周期で変化させて
所定の周期でブリンクする画像が表示される。
【００２１】
  
減光ブリンク信号生成部２１は、入力される画像データ
のビットシフトを行った後、
例えば、
下位方向に輝度が低くなるとすると、下位ビット側に１ビットシフト
表示部５に表示された場合に、元画像の約１／２の輝度となる画像データが生成される。」
「【００２３】
  以上によって、選択信号（Ｂ＿ＥＮ，ＢＳＥＴ）に応じて、ブリンクの有無及びブリンクの種類を決定することができ、画素クロックＩＮＤＣＬＫ、垂直同期信号ＶＳＹＮＣ、基準クロックＰＷＭ０、及びブリンク周期設定情報ｂｓ１［１：０］によって決定されるブリンククロックｂｓ＿ｃｌｋの周期で、フレームに同期したブリンク表示が可能となる。例えば、
減光ブリンクが指定された場合には、元画像と、その約１／２の輝度の画像とが、
交互に表示部５に表示される。
　以上より、刊行物３には、次の技術が記載されているものと認められる（括弧内の段落番号は、認定の根拠とした段落番号である。）。
「緊急時や、重要な情報を提示するときに、提示情報を強調するために、画面の輝度を２段階に周期的に変化させる（以下、ブリンクと記す）表示が行われるよう（【０００２】）、減光ブリンク信号生成部（【０００７】）で、入力される画像データをビットシフトし（例えば、下位方向に輝度が低くなるとすると、下位ビット側に１ビットシフトする）、表示部に表示された場合に、元画像の約１／２の輝度となる画像データが生成され（【０００７】、【００２１】）、ブリンク表示機能が指定されている場合、ブリンク処理部が、入力される画像データの各画素データを、所定の周期で変化させて、所定の周期でブリンクする画像が表示され（【００１５】）、減光ブリンクが指定された場合には、元画像と、その約１／２の輝度の画像とが、交互に表示部５に表示される（【００２３】）、技術。」
５　対比・判断
（１）本件特許発明１について
　本件特許発明１と引用発明１とを対比する。
ア　引用発明１における「各々Ｒ，Ｇ，Ｂで示す３原色のレーザ光を発生するレーザ光源１ｒ，１ｇ，１ｂ」と「レーザ光」を「合成」し、「１本の走査レーザ光（光ビーム）」を「生成」する「合成光学素子４」とが、本件特許発明１における「光束を出力するレーザ光源部」に相当する。
イ　引用発明１において、「ポリゴンミラー５は、入射するレーザ光に対して水平方向に回転する多面鏡であり、入射するレーザ光をその回転に伴ない水平方向に主走査させ、ポリゴンミラー５によって反射（偏向走査）されたレーザ光はガルバノミラー７に入射され、ガルバノミラー７は、揺動回動されて入射するレーザ光に対して直交する方向に往復運動するミラーであり、これにより入射するレーザ光を垂直方向に副走査させ」ている。
　よって、引用発明１における「ポリゴンミラー５」及び「ガルバノミラー７」と、本件特許発明１における「主走査方向及び副走査方向に往復駆動されることで、前記光束を反射させる走査ミラー部」とは、「主走査方向に駆動され、及び副走査方向に往復駆動されることで、前記光束を反射させる走査ミラー部」の点で共通する。
ウ　引用発明１では、「レーザ光源１ｒ，１ｇ，１ｂからの各レーザ光は光変調器２ｒ，２ｇ，２ｂにより各色に対応する入力画素信号ＡＲｏ，ＡＧｏ，ＡＢｏに基づいて変調されるが、レーザ光源１ｒ，１ｇ，１ｂとして半導体レーザを使用した場合には、入力画素信号ＡＲｏ，ＡＧｏ，ＡＢｏに基づいて直接変調可能であり、変調されたレーザ光は合成光学素子４により合成され、１本の走査レーザ光（光ビーム）が生成され」るとされている。
　よって、引用発明１における、「入力画素信号ＡＲｏ，ＡＧｏ，ＡＢｏに基づいて」「レーザ光源１ｒ，１ｇ，１ｂからの各レーザ光」を「変調」する「光変調器２ｒ，２ｇ，２ｂ」、または「レーザ光源１ｒ，１ｇ，１ｂとして半導体レーザを使用した場合」の「直接変調」のための回路が、本件特許発明１における「画像データに基づいて前記レーザ光源部を駆動させる光源駆動部」に相当する。
エ　引用発明１において「主走査方向の一連の画素を、１つのサブフレーム内においては、少なくとも１つ以上の画素置きとなるように、１フレームを少なくとも２つ以上のサブフレームに分離（時分割）して順次表示させ、各サブフレームでは、少なくとも１つ以上の画素毎の間引き表示となる」ようにする理由は、「隣接画素間に走査ビームのＯＦＦ期間を設け、レーザ光源１ｒ，１ｇ，１ｂの応答速度を特に高速化する必要がない」ようにするためであって、これにより結果的に「個々の画素に着目してみると表示されていないサブフレーム周期の期間が生じるために、輝度が低下するという懸念がある。」（刊行物１の段落【００５５】参照。）とされていることから、減光処理を目的としたものでないことは明らかである。
　よって、引用発明１において「主走査方向の一連の画素を、１つのサブフレーム内においては、少なくとも１つ以上の画素置きとなるように、１フレームを少なくとも２つ以上のサブフレームに分離（時分割）して順次表示させ、各サブフレームでは、少なくとも１つ以上の画素毎の間引き表示となる」ようにすることと、本件特許発明１における「前記画像データを構成する画素の輝度値を調整するビットシフト処理部と、前記ビットシフト処理部により減光処理された前記画像データに対して、前記画像データを構成する画素の輝度値を所定の規則で０として表示させる制御を行う減光処理部」とは、「前記画像データに対して、前記画像データを構成する画素の輝度値を所定の規則で０として表示させる制御を行う処理部」の点で共通する。
　よって、本件特許発明１と引用発明１との一致点、相違点は次のとおりである。
（一致点）
「光束を出力するレーザ光源部と、
　主走査方向に駆動され、及び副走査方向に往復駆動されることで、前記光束を反射させる走査ミラー部と、
　画像データに基づいて前記レーザ光源部を駆動させる光源駆動部と、
　画像データに対して、前記画像データを構成する画素の輝度値を所定の規則で０として表示させる制御を行う処理部と、
を備えた画像表示装置。」
（相違点１）
　本件特許発明１では、主走査方向に光束を反射させる走査ミラー部が「主走査方向に往復駆動」されているのに対し、引用発明１では、「ポリゴンミラー５は、入射するレーザ光に対して水平方向に回転する多面鏡であり、入射するレーザ光をその回転に伴ない水平方向に主走査させ」ている点。
（相違点２）
　本件特許発明１では、画像データを構成する画素の輝度値を所定の規則で０として表示させる制御を行う処理部が「減光処理部」であって、「減光処理部」は、「前記画像データを構成する画素の輝度値を調整するビットシフト処理部」により「減光処理された前記画像データに対して」処理を行なっているのに対し、引用発明１では、主走査方向の一連の画素を、１つのサブフレーム内においては、少なくとも１つ以上の画素置きとなるようにしているものの、該処理は「減光」のための処理ではなく、さらに、引用発明１では、入力画素データの輝度値を調整するビットシフト処理部を備えておらず、ビットシフト処理部により減光処理された画像データに対して、１つのサブフレーム内においては、少なくとも１つ以上の画素置きとなるようにすることも示されていない点。
　そこで、上記相違点について検討する。
（ア）相違点１について
　走査ミラー部を、主走査方向に「往復駆動」させる構成は、刊行物２、３の何れにも記載されていない。
　よって、上記相違点１に係る本件特許発明１の構成は、当業者といえども、刊行物２、３の記載に基づいて、容易になし得たものではない。
（イ）相違点２について
ａ　引用発明１は、「フレーム周波数を一致させるために1画素表示期間を１／２としたとしても、一方のサブフレーム表示中には表示画素が１画素置きとされ、１フレームにおける隣接画素用のＴｐ／１０に加えて他方のサブフレーム分の１０Ｔｐ／１０なるＯＦＦ期間を含むため、レーザ光源１ｒ，１ｇ，１ｂの応答速度としては短い方のＯＮ期間、即ち、９Ｔｐ／１０を考慮すればよく、応答速度は１０／９≒１．１倍にしかならない。」（刊行物１段落【００４１】）と記載されているとおり、「レーザ光源「１ｒ，１ｇ，１ｂの応答速度を特に高速化する必要がな」（刊行物１段落【００４２】）いようにすることを目的として発明であって、表示画像の輝度の調整を目的とした発明ではなく、かえって、刊行物１の段落【００５５】に「前述の実施の形態においては、個々の画素に着目してみると表示されていないサブフレーム周期の期間が生じるために、輝度が低下するという懸念がある。」と記載されているとおり、引用発明１では、その実施により輝度が低下することが懸念されているのであるから、引用発明１において、主走査方向の一連の画素を、１つのサブフレーム内においては、少なくとも１つ以上の画素置きとなるようにする処理を、減光のための処理とすることは、当業者といえども容易に想到し得たことではない。
ｂ　刊行物３に示された技術を再掲すれば、次のとおりである。
　「緊急時や、重要な情報を提示するときに、提示情報を強調するために、画面の輝度を２段階に周期的に変化させる（以下、ブリンクと記す）表示が行われるよう、減光ブリンク信号生成部で、入力される画像データをビットシフトし（例えば、下位方向に輝度が低くなるとすると、下位ビット側に１ビットシフトする）、表示部に表示された場合に、元画像の約１／２の輝度となる画像データが生成され、ブリンク表示機能が指定されている場合、ブリンク処理部が、入力される画像データの各画素データを、所定の周期で変化させて、所定の周期でブリンクする画像が表示され、減光ブリンクが指定された場合には、元画像と、その約１／２の輝度の画像とが、交互に表示部５に表示される、技術。」
　よって、入力される画像データのビットシフトを行い（例えば、下位方向に輝度が低くなるとすると、下位ビット側に１ビットシフトする）、表示部に表示された場合に、元画像の約１／２の輝度となる画像データを生成する技術は、周知技術であると認められる。
　しかし、引用発明１における「主走査方向の一連の画素を、１つのサブフレーム内においては、少なくとも１つ以上の画素置きとなるように、１フレームを少なくとも２つ以上のサブフレームに分離（時分割）して順次表示させ、各サブフレームでは、少なくとも１つ以上の画素毎の間引き表示となる」処理（以下、単に「処理」という。）は、上記ａで述べたとおり、表示画像の輝度の調整を目的とした処理ではなく、かえって、輝度が低下するという懸念が表明されている処理である以上、仮に、引用発明１に上記周知技術を適用し、引用発明１において、入力画素データのビットシフトにより元画像の約１／２の輝度となった画像データを生成したとしても、引用発明１における上記処理を、ビットシフトにより元画像の約１／２の輝度となった画像データをさらに「減光」するための処理（つまり、本件特許発明１でいう、「ビットシフト処理」により「減光処理された」「画像データを構成する画素の輝度値を所定の規則で０として表示させる制御を行う減光処理」）とすることまでは、当業者が容易に想到し得たことではない。
　よって、上記周知技術を考慮したとしても、引用発明１において、上記相違点２に係る本件特許発明１の構成を採用することは、当業者が容易になし得たこととはいえない。
ｃ　以上のとおり、本件特許発明１は、上記引用発明１及び周知技術（刊行物３）に基づいて、当業者が容易に発明をすることができたものではない。
（２）本件特許発明２について
　本件特許発明２は、本件特許発明１を更に減縮したものであるから、上記相違点１及び相違点２に係る本件特許発明１の構成を備えるものである。
　そして、刊行物２にも、上記相違点１及び相違点２に係る本件特許発明１の構成は記載されていないから、本件特許発明２は、上記本件特許発明１について述べたのと同様の理由により、上記引用発明１、刊行物２に記載された技術、及び周知技術（刊行物３）に基づいて、当業者が容易に発明をすることができたものではない。
（３）本件特許発明３−４について
　本件特許発明３−４は、本件特許発明１を更に減縮したものであるから、上記相違点１及び相違点２に係る本件特許発明１の構成を備えるものである。
　よって、本件特許発明３−４は、上記本件特許発明１について述べたのと同様の理由により、上記引用発明１及び周知技術（刊行物３）に基づいて、当業者が容易に発明をすることができたものではない。
（４）以上のとおり、本件特許発明１、３−４は、引用発明１及び周知技術（刊行物３）に基づいて当業者が容易に発明をすることができたものではなく、本件特許発明２は、引用発明１、刊行物２に記載された技術、及び周知技術（刊行物３）に基づいて、当業者が容易に発明をすることができたものではない。
（５）異議申立て人の主張について
ア　本件特許発明１について
（ア）特許異議申立人は、本件特許発明１と刊行物１に記載された発明とは、「主走査方向及び副走査方向に往復駆動されることで、前記光束を反射させる走査ミラー部」を備える点で共通するとしている（異議申立書第１０頁第１１−１９行）が、上記「５」のとおり、刊行物１におけるポリゴンミラー５は、入射するレーザ光に対して水平方向に回転する多面鏡であり、入射するレーザ光をその回転に伴ない水平方向に主走査させるものであって、主走査は、往復駆動ではない。
　そして、刊行物２、３の何れにも、主走査方向に往復駆動される走査ミラー部は、記載されていない。
（イ）特許異議申立人は、
ａ　本件特許発明１と刊行物１に記載された発明とは、「画像データに対して、前記画像データを構成する画素の輝度値を所定の規則で０として表示させる制御を行う減光処理部」を備える点で共通する。
ｂ　表示する画像の輝度を調整するために、画像の基となる画像データの値を調整することは慣用技術であり、画像データ値を調整する具体的方法として画像データをビットシフトさせることは、例えば刊行物３に記載されているように、周知技術であるから、該周知技術を刊行物１に記載された発明に適用することは、適宜なされることである。
ｃ　そして、刊行物１に記載された発明において、表示する画像の輝度を調整するためのビットシフト処理部を適用した場合には、本件特許発明１の構成となる。
ｄ　本件特許発明１により得られる作用効果も、刊行物１に記載された発明及び周知技術から得られる範囲のものであり、格別な作用効果ではない。
　旨主張している（異議申立書第１１頁第２−１６行、同第１３頁第７−９行）。
　しかし、引用発明１において、主走査方向の一連の画素を、１つのサブフレーム内においては、少なくとも１つ以上の画素置きとなるようにする処理が、減光のための処理とはいえないこと、また、引用発明１において、仮に周知技術（刊行物３）を適用したとしても、引用発明１における上記処理を、ビットシフトにより元画像の約１／２の輝度となった画像データをさらに「減光」するための処理（つまり、本件特許発明１でいう、「ビットシフト処理」により「減光処理された」「画像データを構成する画素の輝度値を所定の規則で０として表示させる制御を行う減光処理」）とすることまでは、当業者が容易に想到し得たことではないことは、上記「（１）」「（イ）相違点２について」で述べたとおりである。
　よって、本件特許発明１についての異議申立人の主張は、採用できない。
イ　本件特許発明２−４について
　特許異議申立人は、本件特許発明２−４について、当業者が容易になし得たものである旨主張している（異議申立書第１１頁第１７行−第１３頁第６行、同第１３頁第７−９行）が、本件特許発明１についての特許異議申立人の主張に理由のないことは、上記「ア」で述べたとおりであるから、本件特許発明１を更に減縮した本件特許発明２−４についての異議申立人の主張も、同様に、採用できない。
６　むすび
　したがって、特許異議申立ての理由及び証拠によっては、本件特許発明１−４に係る特許を取り消すことはできない。
　また、他に本件特許発明１−４に係る特許を取り消すべき理由を発見しない。
　よって、結論のとおり決定する。
【異議決定日】
平成２９年１０月１６日（２０１７．１０．１６）